(57)【要約】吸収性物品は、吸収性コア、及び吸収性コアと結合したバックシートを具備する。バックシートは、衣類に面する側面と、第１末端領域における第１末端縁部とを有する。吸収性物品は、吸収性物品を下着に固定するためにバックシートの衣類に面する側面上に配置された接着性取り付け手段を更に具備する。接着性取り付け手段は、（ａ）長手方向中心線上に又は同線に沿って配置された中央接着性部分を含む接着パターンを有する。中央接着性部分は、第１末端領域における第１末端部を有する。接着パターンは、（ｂ）各々が中央接着性部分の横断方向外側に別々に配置された一対の側面接着性部分を更に含む。側面接着性部分の各々は、第１末端領域における第１末端部を有する。各側面接着性部分の第１末端部は、ほぼバックシートの第１末端縁部まで伸びる。中央接着性部分の第１末端部は、バックシートの第１末端縁部から少なくとも約５ｍｍ離れているので、中央接着性部分の第１末端部とバックシートの第１末端縁部との間に接着性のない領域が形成される。
2005518251.tif 000002
【特許請求の範囲】
【請求項１】
下着の股領域に装着されるようにデザインされ、長手方向中心線、第１末端領域、第２末端領域、及び前記第１末端領域と前記第２末端領域との間に配置された中央領域を有し、
吸収性コアと；
前記吸収性コアと結合し、衣類に面する側面、及び前記第１末端領域における第１末端縁部を有するバックシートと；
前記吸収性物品を下着に固定するために前記バックシートの前記衣類に面する側面上に配置された接着性取り付け手段であって、
（ａ）前記長手方向中心線上に又は同線に沿って配置され、前記第１末端領域における第１末端部を有する中央接着性部分と、
（ｂ）各々が、前記中央接着性部分の横断方向外側に別々に配置されていると共に、前記第１末端領域における第１末端部を有し、該第１末端部が、前記バックシートの前記第１末端縁部まで伸びる一対の側面接着性部分とを含む接着パターンを有する接着性取り付け手段とを含む吸収性物品であって、
前記中央接着性部分の前記第１末端部が、前記バックシートの前記第１末端縁部から少なくとも約５ｍｍ離れているので、前記中央接着性部分の前記第１末端部と前記バックシートの前記第１末端縁部との間に接着性のない領域が形成されている吸収性物品。
【請求項２】
前記中央接着性部分が、複数の中央接着性ストライプを含む請求項１の吸収性物品。
【請求項３】
前記側面接着性部分の各々が、複数の側面接着性ストライプを含む請求項１又は２の吸収性物品。
【請求項４】
前記接着パターンを覆う取り外し可能な剥離ライナーを更に含み、前記取り外し可能な剥離ライナーが、前記バックシートの前記第１末端縁部と少なくとも部分的に一致する部分を有する周辺縁部を有する請求項１の吸収性物品。
【請求項５】
前記取り外し可能な剥離ライナーが、前記接着パターンの前記接着性のない領域の少なくとも一部分が露出するように配置されているノッチ（刻み目）を有する請求項４の吸収性物品。
【請求項６】
前記取り外し可能な剥離ライナーに接合している第１包装シートを更に含む請求項４の吸収性物品。
【請求項７】
前記接着パターンを覆う第２包装シートを更に含む請求項１の吸収性物品。
【請求項８】
前記取り外し可能な剥離ライナーが、まっすぐな側面縁部を有すると共に、前記吸収性物品が、前記取り外し可能な剥離ライナーの前記まっすぐな側面縁部を越えて伸びる、前記第１末端領域又は前記第２末端領域におけるサイドローブ（突出部）を有する請求項４の吸収性物品。
【請求項９】
前記ノッチが、円形、楕円形、三角形、又は四角形の一部分である形状を有する請求項５の吸収性物品。
【請求項１０】
前記吸収性物品がパンティライナー、生理用ナプキン、又は失禁パッドである請求項１の吸収性物品。
【請求項１１】
下着の股領域に装着されるようにデザインされ、長手方向中心線、第１末端領域、第２末端領域、及び前記第１末端領域と前記第２末端領域との間に配置された中央領域を有し、
吸収性コアと；
前記吸収性コアと結合し、衣類に面する側面、及び前記第１末端領域における第１末端縁部を有するバックシートと；
前記吸収性物品を下着に固定するために前記バックシートの前記衣類に面する側面上に配置され、接着性部分及び接着性のない領域を含む接着パターンを有する接着性取り付け手段と；
前記接着パターンを覆う取り外し可能な剥離ライナーとを含む吸収性物品であって、前記取り外し可能な剥離ライナーが、前記接着パターンの前記接着性のない領域が露出するように配置されているノッチを有する吸収性物品。
【請求項１２】
前記取り外し可能な剥離ライナーに接合されている第１包装シートを更に含む請求項１１の吸収性物品。
【発明の詳細な説明】
【技術分野】
【０００１】
本発明は吸収性物品に関する。より具体的には、本発明は、バックシートの衣類に面する側面上に改善された接着パターンを有する接着性取り付け手段を含む吸収性物品に関する。
【背景技術】
【０００２】
生理用ナプキン、パンティライナー、及び失禁パッドなどの吸収性物品は、典型的には下着の股領域に装着されるデバイスである。より具体的には、例えば、生理用ナプキン及びパンティライナーは、典型的には女性によって着用者の脚の間で会陰部に隣接して配置されるパンティー内に装着される。生理用ナプキン及びパンティライナーは、女性の体からの体液又は排泄物（例：尿及び経血）を吸収・保持して、体及び衣類の汚れを防ぐようにデザインされている。現在、女性は、体液を採集するために、多種多様な形状及び寸法の生理用ナプキン及びパンティライナーを使用している。
【０００３】
汚れを防ぐために、これらの吸収性物品は、着用者の体に極めて近接し、適合して、しっかりと維持される必要がある。体に密着させて物品を維持することは、「良好なボディーコンタクト」として既知である。良好なボディーコンタクトにより、大量の体液が、吸収性物品の体に接触する表面又は着用者の皮膚に沿って迅速に流れる機会を有する前に、吸収性物品がその体液を吸収することが可能になり、その結果、衣類及び体の汚れを防ぐ。そのような吸収性物品を着用者の体に極めて近接した状態でしっかりと維持するために、吸収性物品は、バックシートの衣類に面する側面上に接着性取り付け手段を有する。接着性取り付け手段は、吸収性物品を下着の股領域で固定するために使用される。接着性取り付け手段は、通常、バックシートの衣類に面する側面上に配置された感圧接着剤を含む。
【０００４】
接着性取り付け手段を有する吸収性物品は便利で快適であるものの、尚もこれらの吸収性物品は、特に、例えば約３ｍｍ未満の厚さを有する薄い生理用ナプキン及びパンティライナーを使用する取扱いにおいて、いくつかの欠点を有する。特に、パンティライナーは、典型的には、それを使用する前に接着性取り付け手段を覆い且つ保護する取り外し可能な剥離ライナーを有する。そのような取り外し可能な剥離ライナーは、典型的にはシート部材であり、パンティライナーのバックシートの周辺部と一致する周辺部を有する。接着性取り付け手段は、通常、パンティライナーの末端縁部（即ち、バックシートの末端縁部）まで長手方向に伸びているので、ユーザが、パンティライナーの末端縁部部分で、取り外し可能な剥離ライナーを接着性取り付け手段から分離することによって、パンティライナーからその剥離ライナーを取り外し始めるのは容易でない。
【発明の開示】
【発明が解決しようとする課題】
【０００５】
故に、取り外し可能な剥離ライナーの取り外しが容易に取り扱われ得る吸収性物品の必要性がある。
【課題を解決するための手段】
【０００６】
一態様では、本発明は、下着の股領域に装着されるようにデザインされた吸収性物品に関する。吸収性物品は、長手方向中心線、第１末端領域、第２末端領域、及び第１末端領域と第２末端領域との間に配置された中央領域を有する。吸収性物品は、吸収性コアと、吸収性コアに結合したバックシートとを具備する。バックシートは、衣類に面する側面と、第１末端領域における第１末端縁部とを有する。吸収性物品は、吸収性物品を下着に固定するためにバックシートの衣類に面する側面上に配置された接着性取り付け手段を更に具備する。接着性取り付け手段は、（ａ）長手方向中心線上に又は同線に沿って配置された中央接着性部分を含む接着パターンを有する。中央接着性部分は、第１末端領域における第１末端部を有する。接着パターンは、（ｂ）各々が中央接着性部分の横断方向外側に別々に配置された一対の側面接着性部分を更に含む。これらの側面接着性部分の各々は、第１末端領域における第１末端部を有する。各側面接着性部分の第１末端部は、ほぼバックシートの第１末端縁部まで伸びている。中央接着性部分の第１末端部は、バックシートの第１末端縁部から少なくとも約５ｍｍ離れているので、中央接着性部分の第１末端部とバックシートの第１末端縁部との間に、接着性のない領域が形成される。
【０００７】
本発明の別の態様では、吸収性物品は、吸収性コアと、吸収性コアに結合したバックシートとを具備する。バックシートは、衣類に面する側面と、第１末端領域における第１末端縁部とを有する。吸収性物品は、吸収性物品を下着に固定するためにバックシートの衣類に面する側面上に配置された接着性取り付け手段を更に具備する。接着性取り付け手段は、接着性部分と接着性のない領域とを含む接着パターンを有する。吸収性物品は、接着パターンを覆う取り外し可能な剥離ライナーを更に具備する。取り外し可能な剥離ライナーは、接着パターンの接着性のない領域が露出するように配置されたノッチを有する。
【０００８】
前述の事柄は、取り外し可能な剥離ライナーの取り外しを更に容易に取扱い得る吸収性物品の必要性に応じるものである。
【０００９】
本発明のこれら及び他の性質、観点及び利点は、本開示を読むことにより当業者にとって明らかとなるであろう。
【発明を実施するための最良の形態】
【００１０】
本明細書の結論は、本発明を形成するとみなされる主題を特に指摘し、明確に請求している請求項に示されているが、本発明は、添付図面と共に示す以下の説明により更に理解できるであろうと考えられる。
【００１１】
全ての引例は、その全体を参考として本明細書に組み込む。いかなる参照文献の引用も、特許請求する本発明の従来技術としての有用性の限定に関する容認ではない。
【００１２】
本明細書において、「具備する」及び「含む」は、最終結果に影響を与えない他の要素及び／又は工程を付加できることを意味する。これらの用語はそれぞれ、「からなる」及び「から本質的になる」を包含する。
【００１３】
本明細書において、「吸収性物品」は、体液など、体の排出物又は排泄物を吸収・封入する物品を指す。更に具体的には、同用語は、体から排泄される種々の排出物の吸収・封入を目的として、着用者の体に密着又は近接して配置される物品を指す。本明細書において、「吸収性物品」は、生理用ナプキン、パンティライナー、おむつ、及び失禁パッド（及び、衣類の股領域において装着される他の物品）を含むことを意図している。本発明は、好ましくはパンティライナー、生理用ナプキン、又は失禁パッドに適用される。
【００１４】
本明細書において、「使い捨て」は、１回の使用後に廃棄し、好ましくはリサイクルするか、堆肥にするか、さもなければ環境に適合する方法で処分することを意図する物品を指す。（即ち、洗濯するか、別の方法で復元するか、又は吸収性物品として再使用することを意図していない。）
本明細書において、「パンティライナー」及び「生理用ナプキン」は、体から排泄される種々の排出物（例：血液、経血、及び尿）を吸収・封入することを意図する、外陰部に隣接して女性に装着される物品を指す。生理用ナプキンと比較して、パンティライナーは、一般に、より短い長さ、より狭い幅、及びより薄い厚さを有すると共に、より少ない吸収能力を有する。本発明は、図面では、従来のパンティライナーに取って代わることを意図するパンティライナーナプキンとして示されるが、本発明は、図面に示される吸収性物品の特定のタイプ又は形体に制限されないことを理解されたい。
【００１５】
本明細書において、「体に面する側面」は、吸収性物品及び／又はその構成要素部材の、着用者の体に面する側面を指す一方、用語「衣類に面する側面」は、吸収性物品を装着する時着用者から離れて面する、吸収性物品及び／又はその構成要素部材の反対側の側面を指す。トップシート、バックシート、吸収性コア、及びそれらの構成要素部材のあらゆる個々の層を含む吸収性物品とその構成要素部材は、体に面する側面及び衣類に面する側面を有する。
【００１６】
本明細書において、「接合する」は、ある要素を別の要素に直接的に取り付けることによって、前記要素を別の要素に直接的に固定する構成；前記要素を中間部材に取り付け、次いで、その中間部材を別の要素に取り付けることによって、前記要素を別の要素に間接的に固定する構成；及びある要素が別の要素と一体になる構成、即ちある要素が本質的には別の要素の一部になっている構成を包含する。
【００１７】
図１は、本発明の好ましい一実施形態である使い捨て吸収性物品（即ち、パンティライナー２０）の平面図である。図１に関し、パンティライナー２０は、体に面する側面２２と、体に面する側面２２に対向する衣類に面する側面２４と、第１末端領域３２及び第２末端領域３４と、第１末端領域３２と第２末端領域３４との間に配置された中央領域３６と、長手方向側面縁部２６と、第１末端縁部２８及び第２末端縁部２９とを有する。図１に示すパンティライナー２０は、体に面する側面２２から見たものである。図１に示すパンティライナー２０は、ほぼ砂時計の形を有する、即ち、長手方向側面縁部２６は曲線状であり、パンティライナー２０は、第１末端領域３２及び第２末端領域３４よりも中央領域３６において横断方向で狭くなっている。図１に示す実施形態では、パンティライナー２０は、４つのサイドローブ８１〜８４を有する。パンティライナー２０は、折り畳まれた時に個々のパッケージを形成する包装シート７０を更に含む。
【００１８】
パンティライナー２０は、２本の中心線、即ち、長手方向中心線Ｌ及び横断方向中心線Ｔを有する。本明細書において、「長手方向」は、パンティライナー２０が装着された時、立っている着用者の体を右半分及び左半分に二分する垂直面とほぼ一致する（例えば、ほぼ平行な）パンティライナー２０の平面における線、軸線、又は方向を指す。本明細書において、「横断方向」又は「横方向」は互換性があり、長手方向にほぼ垂直であるパンティライナー２０の平面内の線、軸線、又は方向を指す。
【００１９】
図２は、図１に示すパンティライナー２０の、ライン２〜２に沿って取った横断面図である。パンティライナー２０は、液体透過性トップシート３８、液体不透過性バックシート４０、トップシート３８とバックシート４０との間に配置された吸収性コア４２、バックシート４０の衣類に面する側面２４上に配置された接着性取り付け手段５０、接着性取り付け手段５０を覆い、保護するための取り外し可能な剥離ライナー６０、及び包装シート７０を含む。パンティライナー２０の接着性取り付け手段５０は、パンティライナー２０を着用者の下着に取り付けるために使用される。より具体的には、接着性取り付け手段５０は、パンティライナー２０を着用者の下着の股領域に固定することに適合している。
【００２０】
図３は、図２に示すバックシート４０の衣類に面する側面２４の平面図である。この図は特に、接着性取り付け手段５０の好ましい一例を示している。図３に関し、バックシート４０は、第１末端領域３２における第１末端縁部５７（図１に示すパンティライナー２０の第１末端縁部２８を形成する）、第２末端領域３４における第２末端縁部５８、及び側面縁部５９（図１に示すパンティライナー２０の長手方向側面縁部２６も形成する）を含む周辺部を有する。接着性取り付け手段５０は、バックシート４０の衣類に面する側面２４上に配置されている。接着性取り付け手段５０は、長手方向中心線Ｌ上に又は同線に沿って配置された中央接着性部分５１を含む接着パターンを有する。中央接着性部分５１は、第１末端領域３２における第１末端部５６を有する。接着パターンは、各々が中央接着性部分５１の横断方向に外側に別々に配置された一対の側面接着性部分５２及び５４を更に含む。側面接着性部分５２及び５３は各々、第１末端領域における第１末端部５４及び５５を有する。側面接着性部分５２及び５３の第１末端部５４及び５５は、ほぼバックシート２４の第１末端縁部５７まで伸びている。本明細書において、「ほぼ末端縁部まで伸びている」は、一つの要素が伸びて、もう一つの要素の末端縁部から３ｍｍ以内にある領域に達することを指す。換言すれば、側面接着性部分５２及び５３の第１末端部５４及び５５は、３ｍｍの範囲内でバックシート２４の第１末端縁部５７と一致する。本明細書において、「一致する」又は 「符合する」は、２つの部材の縁部が接して、各部材における少なくとも一つの対応する部分で共通の縁部を形成することを指す。
【００２１】
好ましい実施形態では、中央接着性部分５１の第１末端部５６は、バックシート４０の第１末端縁部５７から少なくとも約５ｍｍ離れているので、中央接着性部分５１の第１末端部５６と、バックシート４０の第１末端縁部５７との間に接着性のない領域８０が形成される。好ましくは、中央接着性部分５１の第１末端部５６は、バックシート４０の第１末端縁部５７から約１０ｍｍ〜約５０ｍｍ、より好ましくは約１５ｍｍ〜約２５ｍｍ離れている。
【００２２】
好ましくは、接着パターンの接着性のない領域８０は、ユーザの１本の指の先端のために充分な面積を有するので、ユーザは、２本の指（即ち、衣類に面する側面２４からの１本の指と、体に面する側面２２からのもう１本の指）で、パンティライナー２０の接着性のない領域８０をつまむことができる。これにより、パンティライナー２０が使用されるために取り上げられる時、ユーザが接着性取り付け手段５０に触れるのが妨げられる。接着性のない領域８０の好ましい面積は、約５０ｍｍ2〜約２，０００ｍｍ2、より好ましくは約３５０ｍｍ2〜約１，０００ｍｍ2である。
【００２３】
指先に充分なほどの領域を有する接着性のない領域８０を提供することによって、従来の吸収性物品と比較して、パンティライナー２０では、取り外し可能な剥離ライナー６０の取り外しがより容易に取り扱われ得る。
【００２４】
中央接着性部分５１は、長手方向中心線Ｌ上に又は同線に沿って配置される単一の接着性ストライプ（図示せず）を含み得る。好ましくは、中央接着性部分５１は、長手方向軸線上に又は同線に沿って配置される複数の中央接着性ストライプを含む。好ましい実施形態では、中央接着性部分５１は、図３に示すような２本の中央接着性ストライプ５１ａ及び５１ｂを含む。好ましくは、側面接着性部分５２及び５３の各々は、図３に示すように、長手方向中心線Ｌに平行に配置される単一の接着性ストライプ５２’及び５３’を含む。あるいは、側面接着性部分５２及び５３の各々は、長手方向中心線Ｌに平行に配置される複数（例：２又は３本）の側面接着性ストライプ（図示せず）を含み得る。
【００２５】
中央接着性部分５１と、側面接着性部分５２及び５３とは、好ましくは図３に示すような長手方向に形成されるまっすぐな側面縁部を有する。しかし、中央接着性部分５１と、側面接着性部分５２及び５３とは、所望であれば、長手方向側面縁部において、まっすぐでない（即ち、曲線の）部分を有してもよい。
【００２６】
同様に、中央接着性部分５１と、側面接着性部分５２及び５３とにおける接着性ストリップ（例：５１ａ、５１ｂ、５２’、及び５３’）は、好ましくは図３に示すような長手方向に形成されるまっすぐな側面縁部を有する。しかし、これらの接着性ストリップは、所望する場合、長手方向側面縁部において、まっすぐでない（即ち、曲線の）部分を有してもよい。
【００２７】
上記の説明は、第１末端領域３２のみに関する接着パターンを指すが、図３に示すように、同様の接着パターンが、第２末端領域３４において好ましくは配置される。しかし、所望であれば、第１末端領域３２とは異なる接着パターンが、第２末端領域３４において配置されてもよい。
【００２８】
図１に示す好ましい一実施形態では、パンティライナー２０は、約１５１ｍｍの長手方向の長さと、約６７ｍｍの横断方向の長さ（サイドローブ８１及び８２で）を有する。このデザインでは、中央接着性部分５１における各接着性ストライプ５１ａ及び５１ｂは、約３ｍｍの幅を有し、側面接着性部分５２及び５３における各接着性ストライプ５２’及び５３’は、約９ｍｍの幅を有する。中央接着性部分５１におけるこれら２本のストライプ間の距離は、約６ｍｍである。中央接着性部分５１と、側面接着性部分５２及び５３の各々との間の距離は、約４．５ｍｍである。中央接着性部分５１の第１末端部５６と、バックシート４０の第１末端縁部５７との間の距離は、約１５ｍｍである。
【００２９】
接着性取り付け手段５０は、下着の股領域で吸収性物品を固定するために当該技術分野において既知であるいかなる接着剤又はにかわによって形成されてもよい。特に好ましい接着剤は、感圧接着剤である。好適な感圧接着剤は、１９９０年４月１７日にオズボーン（Osborn,III）らに発行された米国特許第４，９１７，６９７号に更に詳細に説明されている。好ましい一実施形態では、接着性取り付け手段５０は、イタリアのナショナルスターチ社（National Starch Corporation）からコード番号：８３４−２８２３で入手可能である感圧接着剤によって形成される。好ましい一実施形態では、接着性ストライプ５１ａ、５１ｂ、５２’、及び５３’は、坪量約３５．５ｇ／ｍ2の感圧接着剤を有する。接着性取り付け手段５０は、当該技術分野において既知のあらゆる接着剤又はにかわの適用方法によってバックシート４０（又はバックシート材料）上に形成され得る。
【００３０】
図４は、取り外し可能な剥離ライナー６０によって覆われるバックシート４０の衣類に面する側面２４の平面図である。取り外し可能な剥離ライナー６０は、図４に示すように、接着パターンの少なくとも一部分、好ましくは全部分（即ち、中央接着性部分５１と、側面接着性部分５２及び５３）を覆う。取り外し可能な剥離ライナー６０は、図４に示すように、バックシート４０の第１末端縁部５７と少なくとも部分的に一致する部分を有する第１末端縁部６１を有する。取り外し可能な剥離ライナー６０は、好ましくはバックシート４０の接着パターンの接着性のない領域８０の少なくとも一部分、より好ましくは５０％、更に好ましくは７０％が、図４に示すようにノッチ６３を通して露出するように配置されているノッチ６３を有する。
【００３１】
ノッチ６３は、接着パターンの接着性のない領域８０の少なくとも一部分が露出する限り、いかなる形状を有してもよい。ノッチ６３の好ましい形状には、円形、楕円形、三角形、又は四角形の一部分が挙げられる。図４に示すノッチ６３の形状は楕円形の一部分である。
【００３２】
ノッチ６３は、好ましくは１本の指の先端のために充分な面積を有するので、ユーザは、２本の指でノッチ６３を通じてパンティライナー２０の接着性のない領域８０をつまむことができる。ユーザは取り外し可能な剥離ライナー６０を接着性取り付け手段５０から容易に分離し得るので、パンティライナー２０を使用するために取り上げる時、このデザインによって、ユーザは、取り外し可能な剥離ライナー６０をパンティライナー２０から容易に取り外し始めることができる。ノッチ６３の好ましい面積は、約２５ｍｍ2〜約２，０００ｍｍ2、より好ましくは約１５０ｍｍ2〜約５００ｍｍ2である。
【００３３】
好ましい実施形態では、取り外し可能な剥離ライナー６０の衣類に面する側面２４は、パンティライナー２０の取扱い説明を有する。そのような取扱い説明は、ユーザに有用なあらゆる情報を含有し得る。取扱い説明の一例は、「使用前にこの剥離ライナーを取り除いてください。」である。取扱い説明は、好ましくは取り外し可能な剥離ライナー６０の衣類に面する側面２４上に印刷することによって作成される。当該技術分野で既知のあらゆる印刷方法が使用され得る。
【００３４】
図６は、好ましい一実施形態として、取り外し可能な剥離ライナー部材１６０を機械方向ＭＤに製造される２つの連続するパンティライナー２０ａ及び２０ｂに適用するためのプロセスの一部分を示している。この実施形態では、２つのノッチ６３の形状は、楕円形の一部分である。２つのノッチ６３は、１回の切断操作によって、取り外し可能な剥離ライナー部材１６０において形成され得る。
【００３５】
図１に示すように、パンティライナー２０は、包装シート７０を含む。好ましくは包装シート７０は、接着性手段によって、取り外し可能な剥離ライナー６０の衣類に面する側面２４に接合される。そのような接着性手段は、取り外し可能な剥離ライナー６０の衣類に面する側面２４のいかなる部分又は位置上にも配置され得る。好ましくは接着性手段は、取り外し可能な剥離ライナー６０の衣類に面する側面２４の全領域上に提供される。
【００３６】
好ましくは、取り外し可能な剥離ライナー６０と包装シート７０との間の結合強度は、取り外し可能な剥離ライナー６０と接着性取り付け手段５０との間の結合強度より大きい。特に、取り外し可能な剥離ライナー６０と包装シート７０との間の結合強度は、好ましくは少なくとも１０ｇｆ（９８．１ｍＮ）、好ましくは約５００ｇｆ（４．９Ｎ）〜約６００ｇｆ（５．９Ｎ）である。
【００３７】
取り外し可能な剥離ライナー６０と包装シート７０は接合しているので、ユーザがパンティライナー２０を取り上げる時、取り外し可能な剥離ライナー６０は、包装シート７０の体に面する側面２２上に残される。故に、ユーザは、処分するために２枚のシート（即ち、取り外し可能な剥離ライナー６０及び包装シート７０）を一緒に取り扱うことができる。
【００３８】
もう一つの好ましい実施形態では、パンティライナー２０は、取り外し可能な剥離ライナーを含まない。代わりに、体に面する側面２２上に取り外し可能な剥離処理を有する包装シートが、接着パターン（即ち、中央接着性部分５１と、側面接着性部分５２及び５３）を被覆・保護するために使用される。そのような取り外し可能な剥離処理は、包装シート７０の体に面する側面２２を、当該技術分野においてシリコーンコーティング又は剥離コーティングとして既知であるシリコーン化合物で処理することによって提供され得る。包装シート７０は、接着性取り付け手段５０の領域のみにおいて、剥離コーティングでゾーンコーティング（即ち、部分的にコーティング）されるか、又は所望する場合、体に面する側面２２全体にわたって剥離コーティングされ得る。
【００３９】
図４に示す実施形態では、パンティライナー２０は、４つのサイドローブ８１〜８４を有するほぼ砂時計の形を有し、取り外し可能な剥離ライナー６０は、まっすぐな側面縁部６５及び６６を有する。この実施形態では、パンティライナー２０のサイドローブ８１〜８４は、第１領域３２及び第２領域３４において、取り外し可能な剥離ライナー６０のまっすぐな側面縁部６５及び６６を越えて伸びる。パンティライナー２０を体に面する側面２２から見る時、取り外し可能な剥離ライナー６０はユーザには見えないので、図４に示す実施形態は好ましい。
【００４０】
取り外し可能な剥離ライナー６０は、当該技術分野において既知のあらゆるシート材料又はフィルム材料によって形成され得る。好ましくは取り外し可能な剥離ライナー６０は、体に面する側面２２上に、取り外し可能な剥離処理を有する。そのような取り外し可能な剥離処理は、当該技術分野においてシリコーンコーティング又は剥離コーティングとして既知であるシリコーン化合物で、取り外し可能な剥離ライナー６０の体に面する側面２２を処理することによって提供され得る。取り外し可能な剥離ライナー６０は、好ましくは体に面する側面２２全体にわたって剥離コーティングされる。取り外し可能な剥離ライナー６０の好ましい材料は、オランダのアクロシル社（Akrosil Corporation）からコード番号：ＢＬ４０ＧＭＧＡ  シロックス（Silox）Ｄ３  Ｈ／Ｏで入手可能であるペーパー材料である。
【００４１】
図１に示すように、包装シート７０は、長手方向側面縁部７４及び末端縁部７５によって画定される周辺部を有する。包装シート７０の長手方向側面縁部７４は、パンティライナー２０の各長手方向側面縁部２６を越えて横断方向外側に伸びる。包装シート７０の末端縁部７５は、パンティライナー２０の各末端縁部２８及び２９を越えて長手方向外側に伸びる。この配置によって、後で説明する折り畳んだ形体でパンティライナー２０を隠し、保護するのに充分な長手方向及び横断方向の広がりを有する包装シートが提供される。
【００４２】
包装シート７０は、フィルム、クラフト紙、カレンダー仕上げ紙、又は当該技術分野において既知の他材料から作成してもよい。好ましくは包装シート７０は、可撓性ポリエチレンフィルムである。好ましいポリエチレンフィルムは、ドイツのボーム社（Boehme Corporation）からコード番号：ポーチ（Pouch）−Ｐ１で入手可能である。
【００４３】
パンティライナー２０は、取り外し可能な剥離ライナー６０及び包装シート７０と共に、好ましくは間隔を置いて横方向に配向される２本の折り畳み線９１及び９２で折り畳まれて、図１に示すような三部分７１〜７３を形成する。本明細書において、「間隔を置いて横方向に配向される折り畳み線」は、横方向にほぼ平行な、長手方向にずれた線を指し、その線で、取り外し可能な剥離ライナー６０及び包装シート７０を含むパンティライナー２０は、一般に折り畳まれる。パンティライナー２０が折り畳まれた後、包装シート７０の長手方向側面縁部７４は、当該技術分野において既知であるような熱及び圧力の適用によって密閉される。（包装シート７０の密閉した側面縁部部分７４は、図５において参照番号９８で示されている。）次に、包装シート７０の末端縁部７５は、接着性テープ９３によって包装シート７０のもう一方の末端部分に固定されて、その結果、パンティライナー２０を含有する個々に包装された製品が製造される。
【００４４】
図５は、そのような個々に包装された製品の斜視図である。この図では、接着性テープ９３及び密閉された部分７１は剥離されて、パッケージを開けている。接着性のない領域８０を有するパンティライナー２０の一部分が、トップシート３８の体に面する側面２２から見える。ノッチ６３を有する取り外し可能な剥離ライナー６０もこの図において見える。この実施形態では、取り外し可能な剥離ライナー６０は、包装シート７０に接合されている（図５に示さず）。ユーザは、２本の指の先端で接着性のない領域８０の部分をつまむことによって、パンティライナー２０を取り上げることができる。パンティライナー２０を取り上げた後、取り外し可能な剥離ライナー６０及び包装シート７０は接合しているので、残される。故に、ユーザは、処分するためにこれら２枚のシート材料を一度に取り扱うことができる（即ち、ユーザはこれら２枚のシート材料を別個に処理する必要がない）。
【００４５】
吸収性コア４２は、排泄された体液（例：経血、膣からの排泄物、尿、及び他の体の排出物）を収容するか、吸収するか、又は保持することができる。吸収性コア４２は、好ましくは着用者の皮膚に圧縮性があって、快適な、刺激のないものである。吸収性コア４２は、多種多様な寸法及び形状で製造されてもよい（例：四角形、楕円形、砂時計形、「Ｔ」字形、「Ｉ（dog bone）」字形、非対称形など）。吸収性コア４２は、単一層の材料又は複数の層をなす材料によって形成され得る。吸収性コア４２は、一般にエアフェルトと呼ばれる粉砕木材パルプなど、吸収性物品において一般に使用される多種多様の液体吸収性材料のいずれを含んでもよい。吸収性コアにおいて使用する他の好適な吸収性材料の例には、ティッシュラップ及びティッシュラミネートを含むティッシュ材料；縮みセルロース詰め物；コフォームを含むメルトブロウンポリマー；化学的に剛化、変性、又は架橋したセルロースファイバー；しわ形成したポリエステル繊維などの合成繊維；ピートモス；吸収性発泡体；吸収性スポンジ；吸収性ゲル材料（粒子形状又は繊維形状の）；又はあらゆる等価材料若しくは材料の組み合わせ、又はこれらの材料の混合物が挙げられる。本明細書において、「化学的に剛化した繊維」とは、乾燥状態及び湿潤状態の両方で繊維の剛性を増すために化学的手段によって剛化されたあらゆる繊維を意味する。
【００４６】
好ましい一実施形態では、吸収性コア４２は、ドイツ、ファルケンハーゲン（Falkenhagen）のコンサート（Concert）ＧｍｂＨ社からコード番号：ＧＨ１５０で入手可能である一層のエアレイドティッシュ材料である。別の好ましい実施形態では、吸収性コア４２は、米国、テネシー州のバッカイセルロース社（Buckeye Cellulose Corporation）からコード番号：フォーリー（Foley）ＮＭＣで入手可能であるエアレイドティッシュ材料である。更に別の好ましい実施形態では、吸収性コア４２は、繊維性吸収性ゲル化材料を含む。好ましい繊維性吸収性ゲル化材料は、ドイツのコンサート社（Concert Corporation）からコード番号：ＧＨ１００．１００８で入手可能である。
【００４７】
好ましい実施形態では、獲得層又は第２トップシート（図示せず）が、トップシート３８と吸収性コア４２との間に追加的に配置される。獲得層は、トップシート３８によって収容された排泄された体液を、吸収性コア４２によって吸収されることができるまで一時的に保持することもあるが、獲得層の他の部分及び吸収性コア４２までそのような体液を迅速に移送する。吸収性コア４２の収容力をより充分に利用するために、獲得層の分配機能は、特に重要である。従って、獲得層は、多種多様な吸収性材料を含んでもよいが、この層は、次の及びそれ以降の流体を効果的に獲得し、分配することができるよう、速やかに流体を移送することができると共に、濡れても崩れない繊維性材料を含むのが好ましい。
【００４８】
獲得層は、当該技術分野において既知の流体移送機能を有するいかなる材料から作成されてもよい。獲得層は、例えば、織布材、不織布材、又はティッシュ材からなってもよい。これらの材料の繊維及び他の成分は、合成若しくは天然、又は部分的に合成及び部分的に天然であってもよい。好適な合成繊維としては、ポリエステル、ポリプロピレン、ポリエチレン、ナイロン、ビスコースレーヨン、又はセルロースアセテート繊維が挙げられる。好適な天然繊維としては、綿、セルロース、又は他の天然繊維が挙げられる。獲得層はまた、少なくとも部分的に、架橋したセルロース繊維からなってもよい。獲得層が不織布である場合、多くの異なるプロセスによって作成され得る。それらのプロセスには、エアレイド、湿式載置、メルトブロウン、スパンボンド、毛羽立て、熱固着、エアスルー接着、粉末結合、ラテックス結合、溶剤結合、スパンレース、及びこれらの組み合わせが挙げられるが、それらに制限されない。
【００４９】
バックシート４０は、体液に対して不透過性であり、好ましくは薄いプラスチックフィルムから製造されるが、他の可撓性液体透過性材料も使用してもよい。本明細書において「可撓性」とは、順応性があって、ヒトの身体の一般的な形や輪郭に容易に順応する材料を指す。バックシート４０は、吸収性コア４２に吸収・封入された体液が、ベッドシーツ、パンツ、パジャマ、及び下着など、吸収性物品に接触する物品を濡らすのを防ぐ。故に、バックシート４０は、織布材若しくは不織布材、ポリエチレン若しくはポリプロピレンの熱可塑性フィルムなどのポリマーフィルム、又はフィルムコーティングした不織布材などの複合材料を含んでもよい。好適なバックシート材料は、約０．０１２ｍｍ（０．５ミル）〜約０．０５１ｍｍ（２．０ミル）の厚さを有するポリエチレンフィルムである。バックシート４０は、エンボス加工及び／又はつや消し仕上げされて、より布らしい外観を提供してもよい。更に、バックシート４０は、体液がバックシートを通過するのを防ぐ一方、蒸気を吸収性コア４２から逃がしてもよい（即ち、バックシートは通気性である）。好ましい微孔質ポリエチレンフィルムは、米国バージニア州のトレデガー社（Tredegar Coporation）からコード番号：ＸＢＦ−１１２Ｗで入手可能である。
【００５０】
好ましい一実施形態では、通気性バックシート材料は、トンプソン（Thompson）に発行された米国特許第３，９２９，１３５号に説明されたもののような孔あきフィルムの積層体であり、同積層体は反対にされて、先細にした毛管の小さい開口部が、１９８８年１０月１１日にシェス（Sheth）に発行された米国特許第４，７７７，０７３号に説明されたもののような微孔性フィルムに接着剤で積層されている吸収性コア４２に面している。
【００５１】
本発明の吸収性物品は、相対的に厚い、中間の厚さ、相対的に薄い、又は大変薄い（又は「超薄」）を含むいずれの厚さも一般に有し得る。オズボーン（Osborn）に発行された米国特許第４，９５０，２６４号及び第５，００９，６５３号に説明されている「超薄」生理用ナプキンの例は、好ましくは約３ｍｍ未満の厚さを有する。吸収性物品は、好ましくは相対的に可撓性であるので、着用者にとって快適である。
【００５２】
トップシート３８は、好ましくは従順で、柔らかい感触で、着用者の皮膚に刺激がない。更に、トップシート３８は、液体透過性であり、液体（例：経血及び／又は尿）にその厚さを容易に貫通させる。好適なトップシートは、織布材及び不織布材（例：繊維の不織布ウェブ）；開口成形熱可塑性フィルム、孔あきプラスチックフィルム、及びハイドロフォーミングされた熱可塑性フィルムなどの高分子材料；多孔質発泡体；網状発泡体；網状熱可塑性フィルム；及び熱可塑性スクリムなど、広範囲の材料から製造されてもよい。好適な織布材及び不織布材は、天然繊維（例えば、木材繊維若しくは綿繊維）、合成繊維（例えば、ポリエステル繊維、ポリプロピレン繊維、若しくはポリエチレン繊維など、高分子繊維）、又は天然繊維と合成繊維との組み合わせからなることができる。トップシート３８が不織布ウェブを含む場合、同ウェブは、多数の既知の技術によって製造されてもよい。例えば、同ウェブは、スパンボンドされるか、毛羽立てられるか、湿式載置されるか、メルトブロウンされるか、水流交絡されるか、又は上記の組み合わせを施されてもよい。
【００５３】
開示された生理用ナプキンにおける使用に特に好適なトップシートは、開口成形フィルムを含む。開口成形フィルムは体の排出物に透過性であり、適切に孔あけされた場合、液体を逆戻りさせて、着用者の皮膚を再湿潤させる傾向を低減するので、トップシート３８として好ましい。故に、形成したフィルムの体に面する側面２２（即ち、生理用ナプキンの体に面する側面２２）は、乾燥したままであり、その結果、体の汚れを低減して、着用者にとってより快適な感触をつくる。
【００５４】
好ましくは、パンティライナー２０の体に面する側面２２は親水性であるので、液体は、トップシート３８を通ってより容易に移送される。トップシート２２が疎水性材料から作成される場合、トップシート３８の少なくとも上側側面（即ち、体に面する側面２２）は、親水性であるように処理されているので、液体は、トップシート３８を通ってより迅速に移動する。これにより、月経液が、吸収性コア４２内に流れ込んで同コアに吸収されるよりも、トップシートから流出する傾向を低減する。トップシート３８の体に面する側面は、界面活性剤で処理することによって親水性になり得る。好ましいトップシート材料は、ドイツのＢＰケミカル社（BP Chemical Corporation）からコード番号：４５１０５で入手可能である孔あきポリエチレンフィルムである。
【００５５】
好ましい一実施形態では、ハイブリッド（混成）トップシートがトップシート３８として使用される。ハイブリッドトップシートは、フィルム層の各長手方向側面上に配置された繊維層（例：不織布層）を含む。そのようなハイブリッドトップシート構造は、２０００年９月１２日にスガハラ（Sugahara）に発行された米国特許第６，１１７，５２３号に開示されている。
【００５６】
吸収性コア４２は、好ましくは当該技術分野において周知のもののような取り付け手段によって既知であるあらゆる方法で、トップシート３８、バックシート４０、又は両方のシートに接合される。バックシート４０及び／又はトップシート３８は、連続する均一な接着剤の層、接着剤の模様付きの層、又は接着剤の別個の線、螺旋、若しくは点の配列により、吸収性コア４２に又は互いに接合されてもよい。
【００５７】
トップシート３８及びバックシート４０の、吸収性コア４２の縁部を越えて伸びる部分は、好ましくは互いにも接合されている。好ましくは、トップシート３８及びバックシート４０のこれらの部分は、吸収性コア４２の縁部を越えて伸びるほぼ全部分で接着剤を使用して接合され、またトップシート３８及びバックシート４０が圧力、又は熱及び圧力の適用によって稠密化されているパンティライナー２０の末端縁部ではクリンプシール（けん縮密閉）を使用して接合される。
【００５８】
生理用ナプキンの実施形態では、生理用ナプキンは、例えば、生理用ナプキンの中央領域３６から外側に伸びる対の任意のフラップ又はウイング（図示せず）を含んでもよい。フラップは、当該技術分野において既知のいずれの好適な形体であってもよい。吸収性物品に好ましいフラップの形体は、１９８６年５月２０日にバン・ティルバーグ（Van Tilburg）に発行された米国特許第４，５８９，８７６号；１９８７年８月１８日にバン・ティルバーグ（Van Tilburg）に発行された第４，６８７，４７８号；及び１９９８年９月１日にデービス（Davis）らに発行された第５，８００，６５４号において説明されている。
【００５９】
本明細書で説明した実施例及び実施形態は例示の目的だけであって、様々な修正又は変更が本発明の範囲から逸脱することなく、当業者によって想起されるであろうと考える。
【図面の簡単な説明】
【００６０】
【図１】本発明の好ましい一実施形態であるパンティライナーの平面図。
【図２】図１に示すパンティライナーの、ライン２〜２に沿って取った横断面図。
【図３】図２に示すバックシートの衣類に面する側面の平面図。
【図４】取り外し可能な剥離ライナーによって覆われるバックシートの衣類に面する側面の平面図。
【図５】図１に示すパンティライナーを含有する個々に包装された製品の斜視図。
【図６】好ましい一実施形態として、取り外し可能な剥離ライナー部材を、機械方向に製造される２つの連続するパンティライナーに適用するためのプロセスの一部分の平面図である。
【図１】
2005518251.tif 000003
【図２】
2005518251.tif 000004
【図３】
2005518251.tif 000005
【図４】
2005518251.tif 000006
【図５】
2005518251.tif 000007
【図６】
2005518251.tif 000008
【国際調査報告】
2005518251.tif 000009
2005518251.tif 000010
2005518251.tif 000011